(57)【要約】【課題】接続されている端末数分の電力を必要とすることなく、接続されている全端末との間で符号化データの送受信を行うことを可能にする。【解決手段】内線インタフェース回路１３−１にて内線端末の間で伝送すべくＡＭＩ符号データを生成し、この内線インタフェース回路１３−１に対し隣接して配置される内線インタフェース回路１３−２にて逆位相のＡＭＩ符号データを生成するようにして、内線インタフェース回路１３−１と内線インタフェース回路１３−２との間でＡＭＩ符号データの正パルス及び負パルスを打ち消し合うようにした。この逆位相のＡＭＩ符号データを生成するために、内線インタフェース回路１３−２のトランス３２の端子３２１に接続すべく伝送線路３３に代えて伝送線路３４を接続し、端子３２２に接続すべく伝送線路３４に代えて伝送線路３３を接続するようにした。【選択図】    図２
2004336146.tif 000002
【特許請求の範囲】
【請求項１】
少なくとも１つのデジタルボタン電話端末を含む複数の端末と、これら複数の端末に対しそれぞれ通信ポートを介して接続可能な主装置とを備えるデジタルボタン電話システムで使用される主装置であって、
前記通信ポートに接続され、前記端末に対し前記通信ポートを介して送信すべくもので基準値に比して大きい信号レベルとなる第１のパルス及び該基準値に比して小さい信号レベルとなる第２のパルスを有する第１の符号化データを生成し、前記端末から前記通信ポートを介して送られてくる前記第１の符号化データを処理する第１の伝送処理部と、
この第１の伝送処理部が接続されない通信ポートに接続され、かつ前記第１の伝送処理部に対し隣接して配置され、該第１の伝送処理部で生成される第１の符号化データに対し逆位相となる第２の符号化データを生成し、前記端末から前記通信ポートを介して送られてくる第２の符号化データを処理する第２の伝送処理部とを具備したことを特徴とするデジタルボタン電話システムの主装置。
【請求項２】
前記第１及び第２の伝送処理部は、複数個備え、互いに前記第１の符号化データの第１及び第２のパルスと前記第２の符号化データの第１及び第２のパルスとを打ち消し合うように交互に配置されてなることを特徴とする請求項１記載のデジタルボタン電話システムの主装置。
【請求項３】
前記第１の伝送処理部は、トランスと、このトランスの第１の入力端に接続され、前記第１のパルスを示す信号を伝送する第１の伝送線路と、前記トランスの第２の入力端に接続され、前記第２のパルスを示す信号を伝送する第２の伝送線路とを備え、
前記第２の伝送処理部は、トランスと、このトランスの第１の入力端に接続され、前記第２のパルスを示す信号を伝送する第２の伝送線路と、前記トランスの第２の入力端に接続され、前記第１のパルスを示す信号を伝送する第１の伝送線路とを備えることを特徴とする請求項１記載のデジタルボタン電話システムの主装置。
【請求項４】
前記第１及び第２の伝送処理部の各々は、前記トランスの第１及び第２の入力端と、前記第１及び第２の伝送線路とを切り替える切替手段をさらに備えることを特徴とする請求項３記載のデジタルボタン電話システムの主装置。
【請求項５】
前記第１及び第２の伝送処理部は複数個備え、
所定の条件に応じて、前記複数の第１及び第２の伝送処理部各々の切替手段の切替制御を行う切替制御手段をさらに備えることを特徴とする請求項４記載のデジタルボタン電話システムの主装置。
【請求項６】
前記第１の伝送処理部は、デジタル論理値「０」を電位０とし、デジタル論理値「１」を所定の電位で極性を交互に変えて表すＡＭＩ（Ａｌｔｅｒｎａｔｅ  Ｍａｒｋ  Ｉｎｖｅｒｓｅ）符号化方式により前記第１の符号化データを生成し、
前記第２の伝送処理部は、前記ＡＭＩ符号化方式により前記第２の符号化データを生成することを特徴とする請求項１記載のデジタルボタン電話システムの主装置。
【発明の詳細な説明】
【０００１】
【発明の属する技術分野】
この発明は、複数のボタン電話端末をそれぞれ通信ポートを介して接続するデジタルボタン電話システムの主装置に関する。
【０００２】
【従来の技術】
デジタルボタン電話システムにおいては、主装置と端末との間で、データチャネル（Ｄｃｈ）におけるデータ転送を行っている。このＤｃｈで伝送されるデータは、１フレームのシリアル信号で伝送される。この１フレームは、符号データの直後にパリティビットを付加するとともに、フレームの先頭に１ビットのスタートビットを付加し、フレームの末尾に１ビットのストップビットを付加している（例えば、特許文献１参照）。
【０００３】
【特許文献１】
特開２００２−１３５８１８号公報。
【０００４】
【発明が解決しようとする課題】
ところで、上記主装置では、接続されている全端末に対しスタートビットを同位相で送る場合に、「１ビットの電流×端末数」分の電流が流れることになり、瞬間的に大きな電流が必要となる。そこで、大電流を流すと電源電位が揺すられたり、共通インピーダンスでグランドの電位が上がってしまうことになる。この場合、一つの基板内で見ると、他の回路の動作が不安定になったり、誤動作したり、ノイズからの影響を受けやすくなったりする。また、一つのシステムでみると、グランドの電位が上がり、他の基板の動作を不安定にする可能性がある。
【０００５】
これを解決するために、従来では低インピーダンス、大容量のコンデンサを実装していた。しかし、このコンデンサは値段が高いだけでなく、部品自体の体積が大きいために、実装するための面積や高さの制限を生じていた。
【０００６】
そこで、この発明の目的は、接続されている端末数分の電力を必要とすることなく、接続されている全端末との間で符号化データの送受信を行うことができ、しかも安価で通信品質を向上し得るデジタルボタン電話システムの主装置を提供することにある。
【０００７】
【課題を解決するための手段】
この発明は、上記目的を達成するために、以下のように構成される。
（１）少なくとも１つのデジタルボタン電話端末を含む複数の端末と、これら複数の端末に対しそれぞれ通信ポートを介して接続可能な主装置とを備えるデジタルボタン電話システムで使用される主装置であって、通信ポートに接続され、端末に対し通信ポートを介して送信すべくもので基準値に比して大きい第１のパルス及び該基準値に比して小さい第２のパルスを有する第１の符号化データを生成し、端末から通信ポートを介して送られてくる第１の符号化データを処理する第１の伝送処理部と、この第１の伝送処理部が接続されない通信ポートに接続され、かつ第１の伝送処理部に対し隣接して配置され、該第１の伝送処理部で生成される第１の符号化データに対し逆位相となる第２の符号化データを生成し、端末から通信ポートを介して送られてくる第２の符号化データを処理する第２の伝送処理部とを備えるようにしたものである。
【０００８】
（１）の発明によれば、通信ポートに接続される第１の伝送処理部にて端末との間で伝送する第１の符号化データが生成され、この第１の伝送処理部に対し隣接して配置される第２の伝送処理部にて第１の符号化データに対し逆位相となる第２の符号化データが生成されるので、第１の符号化データの第１のパルス及び第２のパルスと第２の符号化データの第１のパルス及び第２のパルスが打ち消し合うことになり、これにより各端末への送信タイミングを合わせて第１及び第２の符号化データを送信しても大電流が流れなくて済むことになり、伝送データの品質も向上できる。また、従来のように、低インピーダンスや大容量のコンデンサを実装する必要がないので、低コスト化も図れる。
【０００９】
（２）第１及び第２の伝送処理部は、複数個備え、互いに前記第１の符号化データの第１及び第２のパルスと前記第２の符号化データの第１及び第２のパルスとを打ち消し合うように交互に配置されてなることを特徴とする。
（２）の発明によれば、第１及び第２の伝送処理部が、互いに第１の符号化データの第１及び第２のパルスと第２の符号化データの第１及び第２のパルスとを打ち消し合うように交互に配置されることになるため、接続される全端末分の電流が不要となり、これにより電源の安定化が図れ、伝送データの品質も向上できる。
【００１０】
（３）第１の伝送処理部は、トランスと、このトランスの第１の入力端に接続され、第１のパルスを示す信号を伝送する第１の伝送線路と、トランスの第２の入力端に接続され、第２のパルスを示す信号を伝送する第２の伝送線路とを備え、第２の伝送処理部は、トランスと、このトランスの第１の入力端に接続され、第２のパルスを示す信号を伝送する第２の伝送線路と、トランスの第２の入力端に接続され、第１のパルスを示す信号を伝送する第１の伝送線路とを備えることを特徴とする。
【００１１】
（３）の発明によれば、第１の伝送処理部及び第２の伝送処理部のうちいずれか１つのトランスの第１の入力端に接続すべく第１の伝送線路に代えて第２の伝送線路を接続し、第２の入力端に接続すべく第２の伝送線路に代えて第１の伝送線路を接続すればよいため、伝送処理部自体の設計変更や交換を不要にできる。
【００１２】
（４）第１及び第２の伝送処理部の各々は、トランスの第１及び第２の入力端と、第１及び第２の伝送線路とを切り替える切替手段をさらに備えることを特徴とする。
（４）の発明によれば、簡単な操作で、第１及び第２の符号化データを生成することができる。
【００１３】
（５）第１及び第２の伝送処理部は複数個備え、所定の条件に応じて、複数の第１及び第２の伝送処理部それぞれの切替手段の切替制御を行う切替制御手段とをさらに備えることを特徴とする。
【００１４】
（５）の発明によれば、例えば障害発生時や伝送処理部の個数の増減等に応じて、互いに第１の符号化データの第１及び第２のパルスと第２の符号化データの第１及び第２のパルスとを打ち消し合うように、第１及び第２の伝送処理部の各々の切替手段の切替制御を行うことができる。
【００１５】
【発明の実施の形態】
以下、この発明の実施形態について図面を参照して詳細に説明する。
図１は、この発明に係わるボタン電話システムの要部構成を示すブロック図である。
このボタン電話システムは、同図に示すように、主装置１に、複数（最大ｉ個）の内線端末２（２−１〜２−ｉ）をそれぞれ通信ポートを介して任意に接続して構成されている。この内線端末２には、例えばボタン電話機が含まれる。
【００１６】
主装置１は、さらに、タイムスイッチ１１、複数（ｊ個）の局線インタフェース回路１２（１２−１〜１２−ｊ）、複数（ｉ個）の内線インタフェース回路１３（１３−１〜１３−ｉ）、制御部１４、記憶部１５及びデータハイウェイインタフェース部１６を備えており、タイムスイッチ１１、局線インタフェース回路１２及び内線インタフェース回路１３は、ＰＣＭハイウェイ１８を介して互いに接続されている。
【００１７】
また、局線インタフェース回路１２、内線インタフェース回路１３及びデータハイウェイインタフェース部１６は、データハイウェイ１９を介して互いに接続されている。さらに、タイムスイッチ１１、制御部１４、記憶部１５及びデータハイウェイインタフェース部１６は、ＣＰＵバス１７を介して互いに接続されている。
【００１８】
タイムスイッチ１１は、制御部１４の制御に基づいて、内線インタフェース回路１３相互間、及び局線インタフェース回路１２と内線インタフェース回路１３とを任意に交換接続する。
【００１９】
局線インタフェース回路１２には、公衆網や専用線などの局線Ｌ（Ｌ−１〜Ｌ−ｊ）が必要に応じて接続される。局線インタフェース回路１２は、接続された局線Ｌに関する局線インタフェース動作を行なう。局線インタフェース動作とは、局線Ｌを介して与えられる音声信号（アナログ）のＰＣＭ信号への変換、タイムスイッチ１１を介して与えられるＰＣＭ信号の音声信号（アナログ）への変換、局線Ｌの状態監視や、局線Ｌを介して接続された網に対する種々の信号の送出などである。また、局線インタフェース回路１２は、上記局線インタフェース動作に係わる種々の制御情報の授受を、データハイウェイ１９、データハイウェイインタフェース部１６及びＣＰＵバス１７を介して制御部１４との間で行なう。
【００２０】
内線インタフェース回路１３には、内線端末２が必要に応じて接続される。内線インタフェース回路１３は、接続された内線端末２に関する内線インタフェース動作を行なう。内線インタフェース動作は、内線端末２から出力されるＰＣＭ信号のＰＣＭハイウェイ１８からの抽出、内線端末２の状態監視や、内線端末２に対する種々の信号の送出などである。また、内線インタフェース回路１３は、上記内線インタフェース動作に係わる種々の制御情報の授受を、データハイウェイ１９、データハイウェイインタフェース部１６及びＣＰＵバス１７を介して制御部１４との間で行なう。
【００２１】
データハイウェイインタフェース部１６は、データハイウェイ１９とＣＰＵバス１７との間でのデータの授受を行なう。
【００２２】
（第１の実施形態）
この第１の実施形態は、図１における内線インタフェース回路１３に関するものである。
図２は、この第１の実施形態における内線インタフェース回路１３の要部構成を示すブロック図である。なお、ここでは説明を簡単にするため、内線インタフェース回路１３は２個あるものとする。
【００２３】
内線インタフェース回路１３−１は、信号処理部２１と、トランス２２とを備えている。このうち、信号処理部２１は、制御部１４による制御の下、内線端末２−１に対し送信すべく、内線インタフェース動作に係わる種々の制御情報を含むＡＭＩ（Ａｌｔｅｒｎａｔｅ  Ｍａｒｋ  Ｉｎｖｅｒｓｅ）符号データを生成し、内線端末２−１から到来するＡＭＩ符号データを処理する。
【００２４】
ここで、ＡＭＩ符号について説明する。符号化則は、図３に示す如く、２進「０」を正または負のパルス、２進「１」をパルス無し（伝送路上は無信号）とするものである。また、２進「０」は、両極間で極性が交互に反転しなければならない。従って、データが「０１００１１０００１」であれば、回線信号は「正パルス、パルス無し、負パルス、正パルス、パルス無し、パルス無し、負パルス、正パルス、負パルス、パルス無し」となる。
【００２５】
トランス２２は、その端子２２１が正パルスを示す信号を伝送するための伝送線路２３を介して信号処理部２１に接続され、端子２２２が負パルスを示す信号を伝送するための伝送線路２４を介して信号処理部２１に接続される。また、トランス２２は、その端子２２３，２２４が内線端末２−１を接続した通信ポートに接続される。
【００２６】
すなわち、トランス２２は、信号処理部２１から正パルス、負パルスを示す信号が選択的に供給されることにより、図３（ａ）に示すＡＭＩデータを内線端末２−１に供給する。
【００２７】
内線インタフェース回路１３−２は、信号処理部３１と、トランス３２とを備えている。このうち、信号処理部３１は、制御部１４による制御の下、内線端末２−２に対し送信すべくＡＭＩ符号データを生成し、内線端末２−２から到来するＡＭＩ符号データを処理する。
【００２８】
トランス３２は、その端子３２１が負パルスを示す信号を伝送するための伝送線路３４を介して信号処理部３１に接続され、端子３２２が正パルスを示す信号を伝送するための伝送線路３３を介して信号処理部３１に接続される。また、トランス３２は、その端子３２３，３２４が内線端末２−２を接続した通信ポートに接続される。
【００２９】
すなわち、トランス３２は、信号処理部３１から正パルス、負パルスを示す信号が選択的に供給されることにより、図３（ｂ）に示すＡＭＩデータを内線端末２−２に供給する。
【００３０】
次に、上記構成における動作について説明する。
内線インタフェース回路１３−１及び１３−２では、それぞれ内線端末２−１，２−２に対し「０１００１１０００１」を示すＡＭＩ符号データを送信するものとする。この場合、同じ送信タイミングで送信すると、図４に示す如く、主装置１から出力される電力の合計が内線端末２の台数分加算され、他の回路の動作が不安定になったり、誤動作したり、ノイズからの影響を受けやすくなる原因となる。
【００３１】
そこで、本発明では、内線インタフェース回路１３−２のトランス３２の端子３２１に対し、伝送線路３３に代わって伝送線路３４を接続し、また端子３２２に対し、伝送線路３４に代わって伝送線路３３を接続し、「０１００１１０００１」を示すＡＭＩ符号データを内線インタフェース回路１３−１と同じタイミングで内線端末２−２に送信する。
【００３２】
２進「０」を送出する場合、内線インタフェース回路１３−１のトランス２２からは正パルスの信号が出力され、内線インタフェース回路１３−２のトランス３２からは負パルスの信号が出力されることになる。
【００３３】
また、内線インタフェース回路１３−１のトランス２２から負パルスの信号が出力されると、内線インタフェース回路１３−２のトランス３２からは正パルスの信号が出力されることになる。
【００３４】
２進「１」を送出する場合、内線インタフェース回路１３−１のトランス２２からはパルス無しの信号が出力され、同様に内線インタフェース回路１３−２のトランス３２からもパルス無しの信号が出力されることになる。
【００３５】
従って、図５に示す如く、隣り合う内線インタフェース回路１３−１と内線インタフェース回路１３−２との間で、パルスが打ち消されることになり、これにより内線端末２の数が偶数であれば、主装置１から出力される電力の合計が０となる。
【００３６】
以上のように上記第１の実施形態によれば、内線インタフェース回路１３−１にて内線端末２−１との間で伝送するＡＭＩ符号データが生成され、この内線インタフェース回路１３−１に対し隣接して配置される内線インタフェース回路１３−２にて逆位相のＡＭＩ符号データが生成されるので、内線インタフェース回路１３−１と内線インタフェース回路１３−２との間でＡＭＩ符号データの正パルス及び負パルスが打ち消し合うことになる。
【００３７】
従って、各内線インタフェース回路１３間で内線端末２への送信タイミングを合わせてＡＭＩ符号データを送信しても大電流が流れなくて済むことになり、ＥＭＣ／ＥＭＩの性能も向上できる。また、従来のように、低インピーダンスや大容量のコンデンサを実装する必要がないので、主装置１全体の低コスト化も図れる。
【００３８】
また、上記第１の実施形態によれば、内線インタフェース回路１３−２のトランス３２の端子３２１に接続すべく伝送線路３３に代えて伝送線路３４を接続し、端子３２２に接続すべく伝送線路３４に代えて伝送線路３３を接続すればよいため、内線インタフェース回路１３自体の設計変更や交換を不要にできる。
【００３９】
なお、上記第１の実施形態では、内線インタフェース回路１３−１に信号処理部２１、トランス２２及び伝送線路２３，２４を備え、内線インタフェース回路１３−２に信号処理部３１、トランス３２及び伝送線路３３，３４を備える例について説明したが、内線インタフェース回路１３−１〜１３−ｉについて、内線インタフェース回路１３−３，１３−５，１３−７…に信号処理部２１、トランス２２及び伝送線路２３，２４を備え、内線インタフェース回路１３−４，１３−６，１３−８…に信号処理部３１、トランス３２及び伝送線路３３，３４を備えるようにすればよい。
【００４０】
（第２の実施形態）
この第２の実施形態は、図１における内線インタフェース回路１３に関するものである。
図６は、この第２の実施形態における内線インタフェース回路１３の要部構成を示すブロック図である。なお、図６において、上記図２と同一部分には同一符号を付して詳細な説明を省略する。
【００４１】
内線インタフェース回路１３−１には、トランス２２の端子２２１，２２２と伝送線路２３，２４とを選択的に切り替える切替スイッチ２５が備えられる。この切替スイッチ２５は、トランス２２の端子２２１に伝送線路２３を接続し、端子２２２に伝送線路２４を接続する第１の切替モードと、トランス２２の端子２２１に伝送線路２４を接続し、端子２２２に伝送線路２３を接続する第２の切替モードとを選択的にとり得る。
【００４２】
内線インタフェース回路１３−２には、トランス３２の端子３２１，３２２と伝送線路３３，３４とを選択的に切り替える切替スイッチ３５が備えられる。この切替スイッチ３５は、トランス３２の端子３２１に伝送線路３３を接続し、端子３２２に伝送線路３４を接続する第１の切替モードと、トランス３２の端子３２１に伝送線路３４を接続し、端子３２２に伝送線路３３を接続する第２の切替モードとを選択的にとり得る。
【００４３】
これら切替スイッチ２５，３５は、上記制御部１４によって切替制御される。この制御部１４には、切替制御機能１４１が備えられ、この切替制御機能１４１は所定の条件に従って切替スイッチ２５，３５の切替を実行するものである。
【００４４】
なお、内線インタフェース回路１３−３〜１３−ｉについても、内線インタフェース回路１３−３，１３−５，１３−７…に切替スイッチ２５が備えられ、内線インタフェース回路１３−４，１３−６，１３−８…に切替スイッチ３５が備えられる。
【００４５】
次に、上記構成における動作について説明する。
例えば、内線インタフェース回路１３−３及び内線インタフェース回路１３−５に障害が発生したとする。すると、内線インタフェース回路１３−３及び内線インタフェース回路１３−５に障害が発生した旨が制御部１４に通知される。
【００４６】
この障害発生の通知を受けると制御部１４は、障害が発生した内線インタフェース回路１３−３及び内線インタフェース回路１３−５の動作を停止するとともに、内線インタフェース回路１３−４の切替スイッチ３５を第２の切替モードから第１の切替モードに切り替える。
【００４７】
また、内線インタフェース回路１３−３及び内線インタフェース回路１３−７に障害が発生したとする。すると、内線インタフェース回路１３−３及び内線インタフェース回路１３−７に障害が発生した旨が制御部１４に通知される。
【００４８】
この障害発生の通知を受けると制御部１４は、障害が発生した内線インタフェース回路１３−３及び内線インタフェース回路１３−７の動作を停止するとともに、内線インタフェース回路１３−４の切替スイッチ３５を第２の切替モードから第１の切替モードに切り替え、内線インタフェース回路１３−５の切替スイッチ３５を第１の切替モードから第２の切替モードに切り替え、内線インタフェース回路１３−６の切替スイッチ３５を第２の切替モードから第１の切替モードに切り替える。
【００４９】
以上のように上記第２の実施形態であれば、内線インタフェース回路１３の障害発生時に応じて、制御部１４により各内線インタフェース回路１３−１〜１３−ｉの切替スイッチ２５，３５を第１の切替モードから第２の切替モードに、または第２の切替モードから第１の切替モードに自動的に切替設定することが可能となる。このため、システムダウンやシステム停止を起こすことなく、通常の処理動作を継続させることができる。
【００５０】
なお、上記切替条件としては、障害発生時以外に例えば内線インタフェース回路１３の追加もしくは削減等を用いることが可能である。このようにすれば、人員の増加や業務内容の変化等に応じて内線端末２を追加する必要が生じたり、また不要な内線端末２を削除する必要が生じた場合に、切替スイッチ２５，３５を備えた内線インタフェース回路１３を主装置１に装着または取り外すだけで、制御部１４により各内線インタフェース回路１３が第１の切替モード及び第２の切替モードに自動的に設定されることになり、これにより必要な労力とコストを大幅に低減することが可能となる。
【００５１】
（その他の実施形態）
この発明は、上記各実施形態に限定されるものではない。例えば、前記第２の実施形態では各内線インタフェース回路の切替スイッチを制御部により切替制御する場合を例にとって説明した。しかし、これに限定されるものではなく、保守者の手操作により各内線インタフェース回路の切替スイッチを切り替えるようにしてもよい。
【００５２】
また、各実施形態では、互いに隣接する内線インタフェース回路の各トランスへの伝送線路の接続を逆にすることにより、互いに逆位相となるＡＭＩ符号データを発生する手順について説明したが、これ以外にも互いに逆位相となるＡＭＩ符号データを発生する手段を用いるようにしてもよい。
【００５３】
その他、主装置の種類やその構成、内線端末の種類、内線インタフェース回路の構成や、主装置と端末との間で送受信する符号化データの種類や符号化データの発生手順等についても、この発明の要旨を逸脱しない範囲で種々変形して実施できる。
【００５４】
【発明の効果】
以上詳述したようにこの発明によれば、接続されている端末数分の電力を必要とすることなく、接続されている全端末との間で符号化データの送受信を行うことができ、しかも安価で通信品質を向上し得るデジタルボタン電話システムの主装置を提供することができる。
【図面の簡単な説明】
【図１】この発明に係わるボタン電話システムの要部構成を示すブロック図。
【図２】この発明の第１の実施形態における内線インタフェース回路の要部構成を示すブロック図。
【図３】この第１の実施形態で取り扱うＡＭＩ符号データを示す図。
【図４】従来実施されていたデジタルボタン電話システムにおけるＡＭＩ符号データの伝送手順を示す図。
【図５】第１の実施形態にＡＭＩ符号データの伝送手順を示す図。
【図６】この発明の第２の実施形態における内線インタフェース回路及び制御部の要部構成を示すブロック図。
【符号の説明】
１…主装置、２（２−１〜２−ｉ）…内線端末、１１…タイムスイッチ、１２（１２−１〜１２−ｊ）…局線インタフェース回路、１３（１３−１〜１３−ｉ）…内線インタフェース回路、１４…制御部、１５…記憶部、１６…データハイウェイインタフェース部、１７…ＣＰＵバス、１８…ＰＣＭハイウェイ、１９…データハイウェイ、２１，３１…信号処理部、２２，３２…トランス、２３，２４，３３，３４…伝送線路、２５，３５…切替スイッチ、１４１…切替制御機能、Ｌ（Ｌ−１〜Ｌ−ｊ）…局線。
【図１】
2004336146.tif 000003
【図２】
2004336146.tif 000004
【図３】
2004336146.tif 000005
【図４】
2004336146.tif 000006
【図５】
2004336146.tif 000007
【図６】
2004336146.tif 000008